(57)【要約】【課題】  ＬＥＤカバーを少数のＬＥＤで均一に照明すること。【解決手段】  ＬＥＤ基板３３には円形軌跡Ｃ上に位置して４個のアングルＬＥＤ６０が搭載されている。これら各アングルＬＥＤ６０はＬＥＤ基板３３に対して傾斜する照明光をＬＥＤカバー３４に照射するものであり、円形軌跡Ｃの外側へ放射状に拡散する放射投光領域Ｅｈを有している。また、ＬＥＤ基板３３には円形軌跡Ｃの内部に位置してトップＬＥＤ４０が搭載されている。このトップＬＥＤ４０はＬＥＤ基板３３に対して直交する照明光をＬＥＤカバー３４に照射するものであり、中央投光領域Ｅｔを有している。この構成の場合、照明光の投射方向が相違するトップＬＥＤ４０およびアングルＬＥＤ６０を効率的に組合わせて使用しているので、ＬＥＤカバー３４を均一に照明できる。【選択図】  図４
2006087572.tif 000002
【特許請求の範囲】
【請求項１】
ＬＥＤ基板に設けられた透光性の電飾カバーと、
前記ＬＥＤ基板に搭載され、前記ＬＥＤ基板に対して傾斜する向きの照明光を前記電飾カバーに投射する複数の第１のＬＥＤと、
前記ＬＥＤ基板に搭載され、前記ＬＥＤ基板に対して直交する向きの照明光を前記電飾カバーに投射する第２のＬＥＤとを備え、
前記複数の第１のＬＥＤは、共通の円形軌跡上に配列されることに基いて放射状に拡散する放射投光領域を生成し、
前記第２のＬＥＤは、前記円形軌跡の内部に配置されることに基いて前記放射投光領域の中央部に投光する中央投光領域を生成することを特徴とする電飾装置。
【請求項２】
前記ＬＥＤ基板には、「３６０°／照射角」の個数の第１のＬＥＤが前記円形軌跡上に周方向に等ピッチで搭載されていることを特徴とする請求項１記載の電飾装置。
【請求項３】
ＬＥＤ基板に設けられた透光性の電飾カバーと、
前記ＬＥＤ基板に搭載され、前記ＬＥＤ基板に対して傾斜する向きの照明光を前記電飾カバーに投射する第１のＬＥＤと、
前記ＬＥＤ基板に搭載され、前記ＬＥＤ基板に対して直交する向きの照明光を前記電飾カバーに投射する第２のＬＥＤと、
前記ＬＥＤ基板に搭載され、前記ＬＥＤ基板に沿う向きの照明光を前記電飾カバーに投射する第３のＬＥＤと
を備えたことを特徴とする電飾装置。
【請求項４】
前記第１のＬＥＤは、
前記ＬＥＤ基板に押当てられる基準面を有するパッケージと、
前記パッケージに設けられ、軸心線が前記基準面に対して傾斜する筒状の反射面と、
前記パッケージに保持され、前記反射面によって囲まれたＬＥＤ素子と
を備えていることを特徴とする請求項１〜３のいずれかに記載の電飾装置。
【請求項５】
前記第１のＬＥＤは、
前記ＬＥＤ基板に押当てられる基準面を有するパッケージと、
前記パッケージに保持され、前記基準面に対して傾斜する搭載面を有するリードフレームと、
前記搭載面に搭載される平面端子を有するＬＥＤ素子と
を備えていることを特徴とする請求項１〜３のいずれかに記載の電飾装置。
【発明の詳細な説明】
【技術分野】
【０００１】
本発明は、ＬＥＤから電飾カバーに照明光を投射することに基いて電飾カバーを発光させる電飾装置に関する。
【背景技術】
【０００２】
上記電飾装置には、図１２に示すように、電飾カバー２００にＬＥＤ基板２０１を装着した構成のものがある。このＬＥＤ基板２０１には複数のＬＥＤ２０２が搭載されており、電飾カバー２００は複数のＬＥＤ２０２によって内部から照明される。
【発明の開示】
【発明が解決しようとする課題】
【０００３】
上記電飾装置においては、ＬＥＤ２０２としてＬＥＤ基板２０１に対して照明光を垂直に投射するトップビュータイプのものを使用している。このため、電飾カバー２００の全体を均一に照明しようとしたときには多数のＬＥＤ２０２が必要になるので、コスト的に不利である。
本発明は上記事情に鑑みてなされたものであり、その目的は、電飾カバーを少数のＬＥＤで均一に照明することができる電飾装置を提供することにある。
【課題を解決するための手段】
【０００４】
＝請求項１に係る発明の説明＝
請求項１に係る発明は照明光の投射方向が相違する第１のＬＥＤおよび第２のＬＥＤを効率的に組合わせて使用することで電飾カバーを均一に照明するものであり、詳細は次の通りである。
１）電飾カバー：ＬＥＤ基板に設けられたイルミネーション部材を称する。この電飾カバーは照明光が投射されることに基いて発光するものであり、少なくとも照明光の照射部分が透明または半透明で透光性を有していることが要件である。
２）第１のＬＥＤ：ＬＥＤ基板に搭載された表面実装ＬＥＤを称する。この第１のＬＥＤは照明光をＬＥＤ基板に対して傾斜する方向に投射するものであり、照明光の投射方向とは中心線の方向を称する。この照明光は電飾カバーに照射されるものであり、電飾カバーは照明光が照射されることに基いて電飾される。この第１のＬＥＤはＬＥＤ基板の円形軌跡上に複数のものが配列されており、複数の第１のＬＥＤは円形軌跡の外側へ放射状に拡散する放射投光領域を有している。この円形軌跡とは真円に限定解釈されるものではなく、楕円および長円を含む用語である。
３）第２のＬＥＤ：ＬＥＤ基板に搭載された表面実装ＬＥＤを称する。この第２のＬＥＤは照明光をＬＥＤ基板に対して直交する方向に投射するものであり、照明光の投射方向とは中心線の方向を称する。この照明光は電飾カバーに照射されるものであり、電飾カバーは照明光が照射されることに基いて電飾される。この第２のＬＥＤはＬＥＤ基板のうち円形軌跡の内部に配置されたものであり、第２のＬＥＤは放射投光領域の中央部に中央投光領域を有している。即ち、第２のＬＥＤは電飾カバーの相対的な中央部を照明し、複数の第１のＬＥＤは電飾カバーの相対的な外周部を照明するものである。
＝請求項２に係る発明の説明＝
請求項２に係る発明は「３６０°／照射角」個の第１のＬＥＤを円形軌跡上に周方向に等ピッチで配列し、第１のＬＥＤの単独投光領域相互間の重なりを抑えるものである。
＝請求項３に係る発明の説明＝
請求項３に係る発明は照明光の投射方向が相違する第１のＬＥＤと第２のＬＥＤと第３のＬＥＤを組合わせて使用することで電飾カバーを均一に照明するものであり、第１のＬＥＤとは照明光をＬＥＤ基板に対して傾斜する方向に投射するＬＥＤを称し、第２のＬＥＤとは照明光をＬＥＤ基板に対して直交する方向に投射するＬＥＤを称し、第３のＬＥＤとは照明光をＬＥＤ基板に沿う方向に投射するＬＥＤを称する。
＝請求項４に係る発明の説明＝
請求項４に係る発明は第１のＬＥＤとして搭載角度の調整作業が不要な表面実装ＬＥＤを提供するものである。具体的にはＬＥＤ素子をパッケージによって保持するものであり、パッケージには基準面および反射面が形成されている。反射面とはＬＥＤ素子からの光を反射する筒状の壁面を称するものであり、第１のＬＥＤの投光方向は反射面の軸心線の方向に影響される。この軸心線は基準面に対して傾斜している。この基準面とはパッケージのうちＬＥＤ基板に押当てられる設置面を称するものであり、第１のＬＥＤの投光方向はパッケージの基準面をＬＥＤ基板に押当てるだけで予め設定された傾斜角度に規制される。
＝請求項５に係る発明の説明＝
請求項５に係る発明は第１のＬＥＤとして搭載角度の調整作業が不要な表面実装ＬＥＤを提供するものである。具体的にはリードフレームをパッケージによって保持するものであり、パッケージには基準面が形成されている。リードフレームは基準面に対して傾斜する搭載面を有するものであり、搭載面にはＬＥＤ素子の平面端子が搭載される。即ち、第１のＬＥＤの投光方向は搭載面の傾斜角度に影響されるものであり、パッケージの基準面をＬＥＤ基板に押当てるだけで予め設定された傾斜角度に規制される。
【発明の効果】
【０００５】
請求項１に係る発明によれば、複数の第１のＬＥＤを円形軌跡上に配列することに基いて放射状に拡散する放射投光領域を生成し、第２のＬＥＤを円形軌跡の内部に配置することに基いて放射投光領域の中央部に中央投光領域を生成したので、電飾カバーを少数のＬＥＤで均一に照明することが可能になる。
請求項２に係る発明によれば、「３６０°／照射角」個の第１のＬＥＤを等ピッチで配列することに基いて単独投光領域相互間の重なりを抑えたので、電飾カバーを最低数のＬＥＤで均一に照明することが可能になる。
【０００６】
請求項３に係る発明によれば、照明光の投射方向が相違する第１のＬＥＤと第２のＬＥＤと第３のＬＥＤを組合わせて使用したので、電飾カバーを少数のＬＥＤで均一に照明することが可能になる。
請求項４〜請求項５に係る各発明によれば、パッケージの基準面をＬＥＤ基板に押当てるだけで第１のＬＥＤの投光方向が予め設定された傾斜角度に規制されるので、第１のＬＥＤのＬＥＤ基板に対する実装作業が簡単になる。
【発明を実施するための最良の形態】
【０００７】
【実施例１】
【０００８】
パチンコホールの台島には、図１に示すように、外枠１が設置されている。この外枠１は前後面が開口する四角筒状をなすものであり、外枠１には四角形状の前枠２が装着されている。この前枠２の下端部には横長な長方形状の下皿板３が固定されており、下皿板３には下皿４が固定されている。この下皿板３の上方には横長な長方形状の上皿板５が配置されている。この上皿板５は前枠２に装着されたものであり、上皿板５には上皿６が固定されている。
【０００９】
下皿板３の右端部にはハンドル台７が固定されており、ハンドル台７には発射ハンドル８が前後方向へ延びる軸を中心に回動可能に装着されている。この発射ハンドル８の後方には発射モータ９が固定されており、発射モータ９の回転軸には打球槌が連結されている。この発射モータ９は打球槌の駆動源に相当するものであり、遊技者が発射ハンドル８を時計回り方向へ回動操作したときには発射モータ９に駆動電源が与えられ、打球槌が駆動することに基づいて上皿６内のパチンコ球を上皿６内から弾き出す。
【００１０】
前枠２には矩形状の窓枠１０が装着されている。この窓枠１０は円形孔状の窓部１１を有するものであり、窓部１１の内周面には透明なガラス窓１２が固定されている。この窓枠１０の後方には、図２に示すように、遊技盤１３が装着されている。この遊技盤１３は前枠２に保持されたものであり、窓枠１０のガラス窓１２は遊技盤１３を前方から視覚的に認識可能に覆っている。
【００１１】
遊技盤１３には、図２に示すように、外レール１４および内レール１５が固定されている。これら外レール１４および内レール１５間には空間状の発射通路１６が形成されており、打球槌が弾いたパチンコ球は発射通路１６を通して遊技領域１７内に放出される。この遊技領域１７内には複数の障害釘１８が打込まれており、遊技領域１７内に放出されたパチンコ球は障害釘１８に当りながら遊技領域１７内を落下する。この遊技領域１７は外レール１４および内レール１５によって囲まれた円形領域（発射通路１６の残余領域）を称するものであり、パチンコ球が転動可能な最大範囲である転動領域に相当する。
【００１２】
遊技領域１７内には上面が開口するポケット状の特別図柄始動口１９が固定されている。この特別図柄始動口１９内には特別図柄始動センサ２０(図３参照)が固定されており、特別図柄始動センサ２０は特別図柄始動口１９内にパチンコ球が入賞したことを検出して特別図柄始動信号を出力する。
遊技領域１７内には、図２に示すように、入賞口台板２１が固定されており、入賞口台板２１には前面が開口する四角筒状の大入賞口２２が固定されている。この入賞口台板２１には扉２３が下端部の水平な軸２４を中心に回動可能に装着されている。この扉２３は大入賞口ソレノイド２５（図３参照）のプランジャに機械的に連結されており、大入賞口ソレノイド２５は扉２３を垂直状態に回動操作することに基づいて大入賞口２２の前面を閉鎖し、扉２３を前方へ倒れた水平状態に回動操作することに基づいて大入賞口２２の前面を開放する。この大入賞口２２内にはカウントセンサ２６（図３参照）が固定されており、カウントセンサ２６はパチンコ球が大入賞口２２内に入賞したことを検出してカウント信号を出力する。
【００１３】
遊技領域１７内には、図２に示すように、表示台板２７が固定されており、表示台板２７には特別図柄表示器２８が固定されている。この特別図柄表示器２８は横一列に並ぶ３個の図柄表示部を有するものであり、各図柄表示部は７セグメント形のＬＥＤ表示器から構成されている。これら各図柄表示部は「１」〜「８」の数字図柄が表示されるものであり、遊技者には３列の数字図柄の組合せに応じて大当りおよび外れが報知される。即ち、３列の数字図柄は遊技者に大当りおよび外れを報知する特別図柄に相当するものである。
【００１４】
表示台板２７には装飾図柄表示器２９が固定されている。この装飾図柄表示器２９は特別図柄表示器２８に比べて大きな表示領域を有するカラー液晶表示器から構成されたものであり、装飾図柄表示器２９には装飾図柄および演出図柄が表示される。装飾図柄は特別図柄の組合せが決まる様子を映像的に演出する３列の数字図柄からなるものであり、演出図柄は装飾図柄の組合せが決まる様子を映像的に演出する物語調のアニメーション画面の構成要素として機能する。
【００１５】
窓枠１０の上端部には、図１に示すように、左端部および右端部に位置して網目状のスピーカカバー３０が固定されており、各スピーカカバー３０の後方にはスピーカ３１（図３参照）が配置されている。これら各スピーカ３１は窓枠１０の後面に固定されたものであり、各スピーカ３１が再生する遊技音は前方のスピーカカバー３０を通して遊技者側に放出される。
【００１６】
窓枠１０には、図１に示すように、電飾装置に相当する複数の電飾器３２が固定されている。これら各電飾器３２は物語り調のアニメーション画面を光で演出する演出器に相当するものであり、各電飾器３２の詳細構成は次の通りである。
窓枠１０には、図４に示すように、真円形状のＬＥＤ基板３３が固定されており、ＬＥＤ基板３３には透明なＬＥＤカバー３４が固定されている。このＬＥＤカバー３４は電飾カバーに相当するものであり、窓枠１０の開口部３５を通して前方に突出している。このＬＥＤカバー３４は真円形状をなすものであり、ＬＥＤカバー３４の中心点ＣＰ１はＬＥＤ基板３３の中心点ＣＰを通る直交線上に配置されている。
【００１７】
ＬＥＤ基板３３にはフルカラーのトップＬＥＤ４０が搭載されている。このトップＬＥＤ４０は第２のＬＥＤに相当するものであり、ＬＥＤ基板３３の中心点ＣＰ上に配置されている。このトップＬＥＤ４０はＬＥＤ基板３３に対して直交する照明光をＬＥＤカバー３４の中心点ＣＰ１に向って投射するものであり、トップＬＥＤ４０の投射角θは９０°に設定されている。このトップＬＥＤ４０はＬＥＤカバー３４の中央部に照明光を照射するものであり、符号ＥｔはトップＬＥＤ４０の中央投光領域を示し、符号ＳｔはＬＥＤカバー３４の中央照明領域を示している。以下、トップＬＥＤ４０の詳細構成について説明する。
【００１８】
パッケージ４１には、図５に示すように、平面状の基準面４２が形成されている。このパッケージ４１内にはＲリードフレーム４３とＧリードフレーム４４とＢリードフレーム４５が埋設されており、Ｒリードフレーム４３〜Ｂリードフレーム４５には平面状のチップ搭載面４６が形成されている。これらＲリードフレーム４３のチップ搭載面４６〜Ｂリードフレーム４５のチップ搭載面４６は基準面４２に対して平行な共通の平面上に配置されたものであり、Ｒリードフレーム４３のチップ搭載面４６およびＧリードフレーム４４のチップ搭載面４６には赤色系ＬＥＤ素子４７の平面端子および緑色系ＬＥＤ素子４８の平面端子が接続され、Ｂリードフレーム４５のチップ搭載面４６には青色系ＬＥＤ素子４９の平面端子が接続されている。
【００１９】
パッケージ４１内にはＲリードフレーム５０とＧリードフレーム５１とＢリードフレーム５２が埋設されており、Ｒリードフレーム５０〜Ｂリードフレーム５２には平面状のボンディング面５３が形成されている。これらＲリードフレーム５０のボンディング面５３〜Ｂリードフレーム５２のボンディング面５３はチップ搭載面４６と同一の平面上に配置されたものであり、Ｒリードフレーム４３の赤色系ＬＥＤ素子４７およびＧリードフレーム４４の緑色系ＬＥＤ素子４８はＲリードフレーム５０のボンディング面５３およびＧリードフレーム５１のボンディング面５３にワイヤボンディングされ、Ｂリードフレーム４５の青色系ＬＥＤ素子４９はＢリードフレーム５２のボンディング面５３にワイヤボンディングされている。
【００２０】
Ｒリードフレーム４３〜Ｂリードフレーム４５およびＲリードフレーム５０〜Ｂリードフレーム５２には端子５４が折曲形成されている。これら各端子５４は基準面４２に対して面一な平面状の接続面５５を有するものであり、各接続面５５はパッケージ４１の基準面４２をＬＥＤ基板３３の表面に押当てた状態で印刷パターンに半田付けされている。
パッケージ４１には凹部５６が形成されており、赤色系ＬＥＤ素子４７〜青色系ＬＥＤ素子４９は凹部５６内に配置されている。この凹部５６内には透光性の樹脂封止部が形成されており、樹脂封止部は赤色系ＬＥＤ素子４７〜青色系ＬＥＤ素子４９を樹脂封止している。この凹部５６は赤色系ＬＥＤ素子４７〜青色系ＬＥＤ素子４９から遠ざかるに従って拡径する円形状をなすものであり、凹部５６の軸心線ＣＬはＬＥＤ基板３３に対して直交している。即ち、基準面４２は軸心線ＣＬがＬＥＤ基板３３の表面に対して直交するようにパッケージ４１をＬＥＤ基板３３に対して角度規制するものである。
【００２１】
凹部５６の内周面は赤色系ＬＥＤ素子４７からの投射光〜青色系ＬＥＤ素子４９からの投射光を反射する反射面５７に相当するものであり、赤色系ＬＥＤ素子４７〜青色系ＬＥＤ素子４９が発光したときには凹部５６の軸心線ＣＬを中心に３次元的に拡がる混色光がＬＥＤカバー３４に投射される。即ち、トップＬＥＤ４０は混色光の投射方向ＣＬがＬＥＤ基板３３に対して直交する方向に設定されたものである。
【００２２】
ＬＥＤ基板３３には、図４に示すように、フルカラーの４個のアングルＬＥＤ６０が搭載されている。これらアングルＬＥＤ６０は第１のＬＥＤに相当するものであり、中心点ＣＰを中心とする同一の円形軌跡Ｃ上に周方向に等ピッチで配列されている。これら各アングルＬＥＤ６０はＬＥＤ基板３３に対して共通の角度（具体的には４５°）で傾斜する照明光を投射するものであり、各アングルＬＥＤ６０の投射角θは９０°に設定されている。これら各アングルＬＥＤ６０はＬＥＤカバー３４の外周部に照明光を照射するものであり、符号ＥａはアングルＬＥＤ６０の単独投光領域を示し、符号ＳａはアングルＬＥＤ６０の単独照明領域を示している。これら４個のアングルＬＥＤ６０は円形軌跡Ｃの外側へ放射状に拡散する放射投光領域Ｅｈを生成するものであり、トップＬＥＤ４０の中央投光領域Ｅｔは放射投光領域Ｅｈの中央部に設定されている。即ち、４個のアングルＬＥＤ６０はトップＬＥＤ４０と協働してＬＥＤカバー３４の全域を照明するものであり、次のように構成されている。
【００２３】
パッケージ６１には、図６に示すように、平面状の基準面６２が形成されている。このパッケージ６１内にはコモンリードフレーム６３が埋設されており、コモンリードフレーム６３には平面状のチップ搭載面６４が形成されている。このチップ搭載面６４は基準面６２に対して４５°の角度で傾斜状に交差するものであり、チップ搭載面６４には赤色系ＬＥＤ素子６５の平面端子と緑色系ＬＥＤ素子６６の平面端子と青色系ＬＥＤ素子６７の平面端子が長手方向に沿って一列に接続されている。
【００２４】
パッケージ６１内にはＲリードフレーム６８とＧリードフレーム６９とＢリードフレーム７０が埋設されており、Ｒリードフレーム６８〜Ｂリードフレーム７０には平面状のボンディング面７１が形成されている。これらＲリードフレーム６８のボンディング面７１〜Ｂリードフレーム７０のボンディング面７１はコモンリードフレーム６３のチップ搭載面６４と共通の平面上に配置されたものであり、コモンリードフレーム６３の赤色系ＬＥＤ素子６５およびコモンリードフレーム６３の緑色系ＬＥＤ素子６６はＲリードフレーム６８のボンディング面７１およびＧリードフレーム６９のボンディング面７１にワイヤボンディングされ、コモンリードフレーム６３の青色系ＬＥＤ素子６７はＢリードフレーム７０のボンディング面７１にワイヤボンディングされている。
【００２５】
コモンリードフレーム６３およびＲリードフレーム６８〜Ｂリードフレーム７０には端子７２が折曲形成されている。これら各端子７２は基準面６２に対して面一な平面状の接続面７３を有するものであり、各接続面７３はパッケージ６１の基準面６２をＬＥＤ基板３３の表面に押当てた状態で印刷パターンに半田付けされている。
パッケージ６１には凹部７４が形成されており、赤色系ＬＥＤ素子６５〜青色系ＬＥＤ素子６７は凹部７４内に配置されている。この凹部７４内には透光性の樹脂封止部が形成されており、樹脂封止部は赤色系ＬＥＤ素子６５〜青色系ＬＥＤ素子６７を樹脂封止している。この凹部７４は赤色系ＬＥＤ素子６５〜青色系ＬＥＤ素子６７から遠ざかるに従って拡径する円形状をなすものであり、凹部７４の軸心線ＣＬはＬＥＤ基板３３に対してチップ搭載面６４およびボンディング面７１と同一の４５°の角度で傾斜している。即ち、基準面６２は軸心線ＣＬがＬＥＤ基板３３に対して４５°の角度で傾斜するようにパッケージ６１をＬＥＤ基板３３に対して角度規制するものである。
【００２６】
凹部７４の内周面は赤色系ＬＥＤ素子６５からの投射光〜青色系ＬＥＤ素子６７からの投射光を反射する反射面７５として機能するものであり、赤色系ＬＥＤ素子６５〜青色系ＬＥＤ素子６７が発光したときには凹部７４の軸心線ＣＬを中心に３次元的に拡がる混色光がＬＥＤカバー３４に投射される。即ち、アングルＬＥＤ６０は混色光の投射方向ＣＬがＬＥＤ基板３３に対して４５°の角度で傾斜するものである。
【００２７】
メイン制御回路１００はゲーム内容を制御する最上位の制御手段であり、図３に示すように、特別図柄始動センサ２０からの特別図柄始動信号およびカウントセンサ２６からのカウント信号のいずれかを検出することに基いて賞球データを設定する。タイマ回路１０１はメイン制御回路１００に定期的にパルス信号を出力するものであり、メイン制御回路１００はタイマ回路１０１からのパルス信号を検出することに基いて大当りカウンタＲｏおよび図柄カウンタＲｚを「１」ずつ加算する。これら大当りカウンタＲｏおよび図柄カウンタＲｚは「０」から異なる上限値に加算された後に「０」に戻して加算されるものであり、メイン制御回路１００は特別図柄始動センサ２０からの特別図柄始動信号を検出したことを条件に大当りカウンタＲｏの現在の計測値および図柄カウンタＲｚの現在の計測値を取得する。そして、大当りカウンタＲｏの取得結果を大当り値と比較することに基いて大当りおよび外れを判定し、大当りおよび外れの判定結果に応じた特別図柄を図柄カウンタＲｚの取得結果に基いて設定する。
【００２８】
ＬＥＤ回路１０２は特別図柄表示器２８を駆動するものであり、メイン制御回路１００はＬＥＤ回路１０２を駆動制御することに基いて特別図柄表示器２８に特別図柄の設定結果を表示する。ソレノイド回路１０３は大入賞口ソレノイド２５を駆動制御するものであり、メイン制御回路１００は特別図柄表示器２８に特別図柄を大当りの組合せで表示したことを条件に大入賞口ソレノイド２５を駆動し、大入賞口２２の扉２３を開放する。
【００２９】
払出制御回路１０４はメイン制御回路１００から賞球データが送信されるものであり、賞球データを検出することに基いて賞球データに応じた駆動信号を設定する。モータ回路１０５は払出制御回路１０４から駆動信号の設定結果が与えられるものであり、払出制御回路１０４からの駆動信号に基いてステッピングモータ１０６に駆動用のパルス信号を与える。このステッピングモータ１０６はパチンコ球を上皿６内に賞品球として払出す賞球払出装置の駆動源として機能するものであり、上皿６内にはステッピングモータ１０６が駆動することに基いて賞球データに応じた個数の賞品球が払出される。
【００３０】
演出制御回路１０７は装飾図柄遊技の演出内容を総括的に制御するものである。この演出制御回路１０７はメイン制御回路１００から特別図柄遊技データの設定結果が送信されるものであり、メイン制御回路１００は特別図柄始動センサ２０からの特別図柄始動信号を検出したことを条件に特別図柄遊技データを設定し、演出制御回路１０７は特別図柄遊技データを検出することに基いて装飾図柄遊技データを設定する。
【００３１】
図柄制御回路１０８は演出制御回路１０７から装飾図柄遊技データが送信されるものである。この図柄制御回路１０８は装飾図柄遊技データに基いて装飾図柄遊技の映像的な演出内容を設定するものであり、演出内容を設定したときには演出内容の設定結果に応じた画像データを設定し、画像データの設定結果に基いて表示信号を生成する。この図柄制御回路１０８は表示信号の設定結果をＬＣＤ回路１０９に送信するものであり、ＬＣＤ回路１０９は図柄制御回路１０８からの表示信号に応じた映像を装飾図柄表示器２９に表示することに基いて装飾図柄遊技を行う。
【００３２】
音制御回路１１０は演出制御回路１０７から装飾図柄遊技データが送信されるものである。この音制御回路１１０は装飾図柄遊技データに基いて音的な演出内容を設定するものであり、演出内容を設定したときには演出内容の設定結果に応じた音データを設定し、音データの設定結果に基いて音信号を生成する。この音制御回路１１０は音信号の設定結果をスピーカ回路１１１に送信するものであり、スピーカ回路１１１は音制御回路１１０からの音信号に応じた遊技音を両スピーカ３１から出力することに基いて装飾図柄遊技を音的に演出する。
【００３３】
電飾制御回路１１２は演出制御回路１０７から装飾図柄遊技データが送信されるものである。この電飾制御回路１１２は装飾図柄遊技データに基いて電飾的な演出内容を設定するものであり、演出内容を設定したときには演出内容の設定結果に応じた電飾データを設定し、電飾データの設定結果に基いて電飾信号を設定する。この電飾制御回路１１２は電飾信号の設定結果をＬＥＤ回路１１３に送信するものであり、ＬＥＤ回路１１３は複数の電飾器３２を電飾信号に応じた内容で発光させることに基いて装飾図柄遊技を電飾的に演出する。
【００３４】
上記実施例１によれば、複数のアングルＬＥＤ６０を共通の円形軌跡Ｃ上に配列することに基いて放射状に拡散する放射投光領域Ｅｈを生成し、トップＬＥＤ４０を円形軌跡Ｃの内部に配置することに基いて放射投光領域Ｅｈの中央部に中央投光領域Ｅｔを生成したので、ＬＥＤカバー３４の全体を少数のＬＥＤで均一に照明することができる。
「３６０°／照射角９０°」の４個のアングルＬＥＤ６０を周方向に等ピッチで配列することに基いてアングルＬＥＤ６０の単独投光領域Ｅａ相互間の重なりを抑えたので、ＬＥＤカバー３４の全体を最低個数のＬＥＤで均一に照明することができる。
【００３５】
アングルＬＥＤ６０のパッケージ６１に基準面６２および反射面７５を形成した。このため、アングルＬＥＤ６０の基準面６２をＬＥＤ基板３３に押当てるだけでアングルＬＥＤ６０の投光方向ＣＬが設定角度に規制されるので、アングルＬＥＤ６０のＬＥＤ基板３３に対する実装作業が簡単になる。
アングルＬＥＤ６０のパッケージ６１に基準面６２を形成し、アングルＬＥＤ６６のコモンリードフレーム６３にチップ搭載面６４を形成した。このため、アングルＬＥＤ６０の基準面６２をＬＥＤ基板３３に押当てるだけでアングルＬＥＤ６０の投光方向ＣＬが設定角度に規制されるので、アングルＬＥＤ６０のＬＥＤ基板３３に対する実装作業が簡単になる。
【実施例２】
【００３６】
窓枠１０には、図７に示すように、長円形状のＬＥＤ基板８１が固定されており、ＬＥＤ基板８１には透明なＬＥＤカバー８２が固定されている。このＬＥＤカバー８２は電飾カバーに相当するものであり、窓枠１０の開口部３５を通して前方に突出している。このＬＥＤカバー８２は長円形状をなすものであり、ＬＥＤカバー８２の中心点ＣＰ１はＬＥＤ基板８１の中心点ＣＰを通る直交線上に配置されている。
【００３７】
ＬＥＤ基板８１には２個のトップＬＥＤ４０が搭載されており、符号Ｅｔおよび符号Ｓｔは各トップＬＥＤ４０の中央投光領域および中央照明領域を示している。これら両トップＬＥＤ４０はＬＥＤ基板８１を短手方向に２等分する中心線上に配置されたものであり、両トップＬＥＤ４０はＬＥＤ基板８１の中心点ＣＰに対して等しい離間距離で配置されている。
【００３８】
ＬＥＤ基板８１には８個のアングルＬＥＤ６０が搭載されており、符号Ｅａおよび符号Ｓａは各アングルＬＥＤ６０の単独投光領域および単独照明領域を示している。これら８個のアングルＬＥＤ６０は同一の長円形軌跡Ｃ上に配列されたものであり、長円形軌跡ＣはＬＥＤ基板８１およびＬＥＤカバー８２の双方と中心点ＣＰを同一にしている。これら８個のアングルＬＥＤ６０は長円形軌跡Ｃの外側へ放射状に拡散する放射投光領域Ｅｈを生成するものであり、２個のトップＬＥＤ４０は長円形軌跡Ｃの内部に配置され、２個トップＬＥＤ４０の中央投光領域Ｅｔは放射投光領域Ｅｈの中央部に設定されている。
【実施例３】
【００３９】
窓枠１０には、図８に示すように、正方形状のＬＥＤ基板９１が固定されており、ＬＥＤ基板９１には透明なＬＥＤカバー９２が固定されている。このＬＥＤカバー９２は電飾カバーに相当するものであり、窓枠１０の開口部３５を通して前方に突出している。このＬＥＤカバー９２は星形状をなすものであり、ＬＥＤカバー９２の中心点ＣＰ１はＬＥＤ基板９１の中心点ＣＰを通る直交線上に配置されている。このＬＥＤ基板９１には中心点ＣＰ上に位置してトップＬＥＤ４０が搭載されており、符号Ｅｔおよび符号ＳｔはトップＬＥＤ４０の中央投光領域および中央照明領域を示している。
【００４０】
ＬＥＤ基板９１には５個のアングルＬＥＤ６０が搭載されている。これら５個のアングルＬＥＤ６０は中心点ＣＰを中心とする円形軌跡Ｃ上に周方向に等ピッチで配列されたものであり、符号Ｅａおよび符号Ｓａは各アングルＬＥＤ６０の単独投光領域および単独照明領域を示している。これら５個のアングルＬＥＤ６０は円形軌跡Ｃの外側へ放射状に拡散する放射投光領域Ｅｈを生成するものであり、トップＬＥＤ４０は円形軌跡Ｃの内部に配置され、トップＬＥＤ４０の中央投光領域Ｅｔは放射投光領域Ｅｈの中央部に設定されている。
【実施例４】
【００４１】
窓枠１０には、図９に示すように、ガラス窓１２の外周部に位置して円環状のレンズ座１２０が形成されている。このレンズ座１２０は、図１０の（ｂ）に示すように、外周部から内周部へ向うに従ってガラス窓１２の中心方向に傾斜する傾斜面状をなすものであり、レンズ座１２０には、図９に示すように、複数の電飾器３２が固定されている。以下、電飾器３２の詳細構成について説明する。
【００４２】
レンズ座１２０には、図１０に示すように、透明なＬＥＤカバー１２１が固定されている。このＬＥＤカバー１２１は電飾カバーに相当するものであり、ＬＥＤカバー１２１には長方形状のＬＥＤ基板１２２が固定されている。このＬＥＤカバー１２１は電飾部に相当する板状のレンズ１２３を一体に有するものであり、レンズ１２３はレンズ座１２０の開口部１２４内に挿入されている。このレンズ１２３はレンズ座１２０に沿って傾斜するものであり、ＬＥＤ基板１２２はレンズ１２３に対して傾斜している。
【００４３】
ＬＥＤ基板１２２には長手方向の一端部に位置してトップＬＥＤ４０が搭載されている。このトップＬＥＤ４０はＬＥＤ基板１２２の短手方向の中心線上に配置されたものであり、符号Ｅ１および符号Ｓ１はトップＬＥＤ４０の単独投光領域および単独照明領域を示している。このＬＥＤ基板１２２には長手方向の中央部に位置してアングルＬＥＤ６０が搭載されている。このアングルＬＥＤ６０はＬＥＤ基板１２２の短手方向の中心線に対して一方側に偏心配置されたものであり、符号Ｅ２および符号Ｓ２はアングルＬＥＤ６０の単独投光領域および単独照明領域を示している。
【００４４】
ＬＥＤ基板１２２には長手方向の他端部に位置してフルカラーのサイドＬＥＤ１３０が搭載されている。このサイドＬＥＤ１３０はＬＥＤ基板１２２に対して平行な照明光をＬＥＤカバー１２１のレンズ１２３に照射するものであり、符号Ｅ３および符号Ｓ３はサイドＬＥＤ１３０の単独投光領域および単独照明領域を示している。このサイドＬＥＤ１３０は第３のＬＥＤに相当するものであり、ＬＥＤ基板１２２の短手方向の中心線に対してアングルＬＥＤ６０の反対側に偏心配置されている。以下、サイドＬＥＤ１３０の詳細構成について説明する。
【００４５】
パッケージ１３１には、図１１に示すように、平面状の基準面１３２が形成されている。このパッケージ１３１内にはＲリードフレーム１３３とＧリードフレーム１３４とＢリードフレーム１３５が埋設されており、Ｒリードフレーム１３３〜Ｂリードフレーム１３５には平面状のチップ搭載面１３６が形成されている。これらＲリードフレーム１３３のチップ搭載面１３６〜Ｂリードフレーム１３５のチップ搭載面１３６は基準面１３２に対して直交する共通の平面上に配置されたものであり、Ｒリードフレーム１３３のチップ搭載面１３６およびＧリードフレーム１３４のチップ搭載面１３６には赤色系ＬＥＤ素子１３７の平面端子および緑色系ＬＥＤ素子１３８の平面端子が接続され、Ｂリードフレーム１３５のチップ搭載面１３６には青色系ＬＥＤ素子１３９の平面端子が接続されている。
【００４６】
パッケージ１３１内にはＲリードフレーム１４０とＧリードフレーム１４１とＢリードフレーム１４２が埋設されており、Ｒリードフレーム１４０〜Ｂリードフレーム１４２には平面状のボンディング面１４３が形成されている。これらＲリードフレーム１４０のボンディング面１４３〜Ｂリードフレーム１４２のボンディング面１４３はチップ搭載面１３６と同一の平面上に配置されたものであり、Ｒリードフレーム１３３の赤色系ＬＥＤ素子１３７およびＧリードフレーム１３４の緑色系ＬＥＤ素子１３８はＲリードフレーム１４０のボンディング面１４３およびＧリードフレーム１４１のボンディング面１４３にワイヤボンディングされ、Ｂリードフレーム１３５の青色系ＬＥＤ素子１３９はＢリードフレーム１４２のボンディング面１４３にワイヤボンディングされている。
【００４７】
Ｒリードフレーム１３３〜Ｂリードフレーム１３５およびＲリードフレーム１４０〜Ｂリードフレーム１４２には端子１４４が折曲形成されている。これら各端子１４４は基準面１３２に対して面一な平面状の接続面１４５を有するものであり、各接続面１４５はパッケージ１３１の基準面１３２をＬＥＤ基板１２２の表面に押当てた状態で印刷パターンに半田付けされている。
【００４８】
パッケージ１３１には凹部１４６が形成されており、赤色系ＬＥＤ素子１３７〜青色系ＬＥＤ素子１３９は凹部１４６内に配置されている。この凹部１４６内には透光性の樹脂封止部が形成されており、樹脂封止部は赤色系ＬＥＤ素子１３７〜青色系ＬＥＤ素子１３９を樹脂封止している。この凹部１４６は赤色系ＬＥＤ素子１３７〜青色系ＬＥＤ素子１３９から遠ざかるに従って拡径する円形状をなすものであり、凹部１４６の軸心線ＣＬはＬＥＤ基板１２２に対して平行に配置されている。即ち、基準面１３２は軸心線ＣＬがＬＥＤ基板１２２の表面に対して平行になるようにパッケージ１３１をＬＥＤ基板１２２に対して角度規制するものである。
【００４９】
凹部１４６の内周面は赤色系ＬＥＤ素子１３７からの投射光〜青色系ＬＥＤ素子１３９からの投射光を反射する反射面１４７に相当するものであり、赤色系ＬＥＤ素子１３７〜青色系ＬＥＤ素子１３９が発光したときには凹部１４６の軸心線ＣＬを中心に３次元的に拡がる混色光がレンズ１２３に投射される。即ち、サイドＬＥＤ１３０は混色光の投射方向ＣＬがＬＥＤ基板１２２に対して平行な方向に設定されたものである。
【００５０】
上記実施例４によれば、照明光をＬＥＤ基板１２２に対して直交する方向に投射するトップＬＥＤ４０と傾斜する方向に投射するアングルＬＥＤ６０と平行な方向に投射するサイドＬＥＤ１３０を組合わせて使用したので、レンズ１２３の全体を少数のＬＥＤで均一に照明することができる。
上記実施例１〜実施例４においては、アングルＬＥＤ６０の基準面６２をＬＥＤ基板３３等に押当てることに基いて照明光の投射方向ＣＬを角度規制したが、これに限定されるものではなく、例えばコモンリードフレーム６３の端子７２およびＲリードフレーム６８の端子７２〜Ｂリードフレーム７０の端子７２の曲げ角度を調整することに基いて角度規制しても良い。
【００５１】
上記実施例１〜実施例４においては、トップＬＥＤ４０・アングルＬＥＤ６０・サイドＬＥＤ１３０としてフルカラーのＬＥＤを例示したが、これに限定されるものではなく、例えば単色のＬＥＤを用いても良い。
上記実施例１〜実施例４においては、アングルＬＥＤ６０の投光方向ＣＬをパッケージ６１の反射面７５およびコモンリードフレーム６３のチップ搭載面６４の双方によって規制したが、これに限定されるものではなく、例えばいずれか一方で規制しても良い。
【００５２】
上記実施例１〜実施例４においては、ＬＥＤカバー３４・ＬＥＤカバー８２・ＬＥＤカバー９２・ＬＥＤカバー１２１を透明樹脂から構成したが、これに限定されるものではなく、例えば半透明樹脂から構成しても良い。
上記実施例１〜実施例４においては、本発明を遊技機の電飾装置に適用したが、これに限定されるものではなく、例えば自動販売機の押ボタンとして機能する電飾装置に適用したり、自動車の操作ボタンとして機能する電飾装置等に適用しても良い。
【図面の簡単な説明】
【００５３】
【図１】本発明の実施例１を示す図（ａはパチンコ機の外観を前方から示す斜視図、ｂはパチンコ機の外観を後方から示す斜視図）
【図２】遊技盤を示す図
【図３】電気的構成を示すブロック図
【図４】電飾器を示す図（ａは矢印Ｘ１視図、ｂはＸ２線に沿う断面図、ｃはＸ３線に沿う断面図）
【図５】トップＬＥＤを示す図（ａは矢印Ｘ１視図、ｂはＸ２線に沿う断面図）
【図６】アングルＬＥＤを示す図（ａは矢印Ｘ１視図、ｂはＸ２線に沿う断面図、ｃはＸ３線に沿う断面図）
【図７】本発明の実施例２を示す図４相当図（ａは矢印Ｘ１視図、ｂはＸ２線に沿う断面図、ｃはＸ３線に沿う断面図）
【図８】本発明の実施例３を示す図４相当図（ａは矢印Ｘ１視図、ｂはＸ２線に沿う断面図）
【図９】本発明の実施例４を示す図１相当図
【図１０】図４相当図（ａは矢印Ｘ１視図、ｂはＸ２線に沿う断面図、ｃはＸ３線に沿う断面図）
【図１１】サイドＬＥＤを示す図（ａは矢印Ｘ１視図、ｂはＸ２線に沿う断面図）
【図１２】従来例を示す図
【符号の説明】
【００５４】
Ｃは円形軌跡、ＣＬは軸心線、Ｅｔは中央投光領域、Ｅｈは放射投光領域、３２は電飾器（電飾装置）、３３はＬＥＤ基板、３４はＬＥＤカバー（電飾カバー）、４０はトップＬＥＤ（第２のＬＥＤ）、６０はアングルＬＥＤ（第１のＬＥＤ）、６１はパッケージ、６２は基準面、６３はコモンリードフレーム（リードフレーム）、６４はチップ搭載面（搭載面）、６７はＬＥＤ素子、７５は反射面、８１はＬＥＤ基板、８２はＬＥＤカバー（電飾カバー）、９１はＬＥＤ基板、９２はＬＥＤカバー（電飾カバー）、１２１はＬＥＤカバー（電飾カバー）、１２２はＬＥＤ基板、１３０はサイドＬＥＤ（第３のＬＥＤ）を示している。
【図１】
2006087572.tif 000003
【図２】
2006087572.tif 000004
【図３】
2006087572.tif 000005
【図４】
2006087572.tif 000006
【図５】
2006087572.tif 000007
【図６】
2006087572.tif 000008
【図７】
2006087572.tif 000009
【図８】
2006087572.tif 000010
【図９】
2006087572.tif 000011
【図１０】
2006087572.tif 000012
【図１１】
2006087572.tif 000013
【図１２】
2006087572.tif 000014